(57)【要約】【課題】  この発明は、未知信号のスペクトラム情報を表示画面上で見つけ、より高精度に未知信号を復調することができる電波監視装置を得ることを目的とする。【解決手段】  広帯域周波数回路２はスペクトラム周波数設定部３からの周波数設定により通信波をＩＦ信号に周波数変換し、スペクトラム処理回路５によりフーリエ変換してスペクトラム情報を生成する。表示データ処理回路６により表示用スペクトラム情報とピーク検出周波数情報とを生成し、表示部７での表示用スペクトラム情報に基づいて入力される周波数選択信号を周波数選択部８により受け付けて復調周波数を設定し、受信機９で通信波の復調を行う。【選択図】        図１
2011203089.tif 000002
【特許請求の範囲】
【請求項１】
受信した通信波を分配する分配回路と、分配された一方の通信波をＩＦ信号に変換する周波数変換回路と、上記ＩＦ信号をフーリエ変換しスペクトラム情報を生成するスペクトラム処理回路と、表示部の表示周波数範囲とドット数に対応する表示用スペクトラム情報と上記スペクトラム情報のピーク値よりなるピーク検出周波数情報とを生成する表示データ処理回路と、表示部に表示された上記表示用スペクトラム情報に基づき入力される周波数選択信号を受け付け復調周波数を設定する周波数選択部と、この周波数選択部により設定された復調周波数により上記分配回路により分配された他方の通信波を復調する受信機とを備えた電波監視装置。
【請求項２】
受信した通信波をＩＦ信号に変換する周波数変換回路と、上記ＩＦ信号をフーリエ変換しスペクトラム情報を生成するスペクトラム処理回路と、表示部の表示周波数範囲とドット数に対応する表示用スペクトラム情報と上記スペクトラム情報のピーク値よりなるピーク検出周波数情報とを生成する表示データ処理回路と、表示部に表示された上記表示用スペクトラム情報に基づき入力される周波数選択信号を受け付け復調周波数を設定する周波数選択部と、この周波数選択部により設定された復調周波数により上記ＩＦ信号を復調する復調処理回路とを備えた電波監視装置。
【請求項３】
受信した通信波を分配する分配回路と、分配された一方の通信波をＩＦ信号に変換する周波数変換回路と、上記ＩＦ信号をフーリエ変換しスペクトラム情報を生成するスペクトラム処理回路と、表示部の表示周波数範囲とドット数に対応する表示用スペクトラム情報と上記スペクトラム情報のピーク値よりなるピーク検出周波数情報とを生成する表示データ処理回路と、表示部に表示された上記表示用スペクトラム情報に基づき入力される周波数選択信号を受け付け、この周波数選択信号が示す周波数帯域の上記スペクトラム情報を拡大表示部に表示し、復調周波数を設定する周波数選択部と、この周波数選択部により設定された復調周波数により上記分配回路により分配された他方の通信波を復調する受信機とを備えた電波監視装置。
【発明の詳細な説明】
【技術分野】
【０００１】
この発明は、未知周波数の通信波を広帯域の周波数範囲で受信してスペクトラム表示し受信復調する電波監視装置に関するものである。
【背景技術】
【０００２】
従来より信号分析の技術分野では、入力信号を高速フーリエ変換してスペクトル分析を行う装置、いわゆるスペクトラムアナライザが実用されてきた。特許文献１には、スペクトラムアナライザによる信号分析方法として、表示管面上の指定レベル位置の設定情報を受けて、その位置のレベルを所定オフセット量として算出し、周波数変換部からのアナログ直流信号を、前記所定オフセット量で減算し、管面表示の分解能設定に応じた増幅量で乗算したのち、所定オフセット量を加算して表示することにより、設定位置が不動を保って表示スペクトラムを拡大または縮小表示する方法が開示されている。
【先行技術文献】
【特許文献】
【０００３】
【特許文献１】特開平１０−２５３６７３号公報
【発明の概要】
【発明が解決しようとする課題】
【０００４】
特許文献１に記載の方法によれば、表示スペクトルを拡大または縮小する際のスペクトル表示位置が不動となるため操作の利便性が向上するものであるが、広帯域の周波数範囲に出現する未知の信号を監視する場合には、広帯域のスペクトラム情報を表示装置上で表示する際に、表示装置の表示範囲とドット数の制約から、１ドットあたりの周波数分解能が決定されてしまい、さらに詳しい周波数情報を得るためには表示装置の表示幅を変更する必要が生じる。広帯域な周波数範囲において未知の信号を監視する電波監視において、既知波以外のスペクトラム情報を表示装置上で見つけ、当該信号の復調を実行しようとして表示装置に表示された周波数情報から復調装置に対して周波数設定をしても、実信号のピーク周波数と合致せず、復調できないという問題点があった。
【０００５】
この発明は、上記のような問題点を解決するためになされたものであり、未知信号のスペクトラム情報を表示画面上で見つけ、より高精度に未知信号を復調することができる電波監視装置を得ることを目的とする。
【課題を解決するための手段】
【０００６】
この発明に係る電波監視装置は、受信した通信波を分配する分配回路と、分配された一方の通信波をＩＦ信号に変換する周波数変換回路と、上記ＩＦ信号をフーリエ変換しスペクトラム情報を生成するスペクトラム処理回路と、表示部の表示周波数範囲とドット数に対応する表示用スペクトラム情報と上記スペクトラム情報のピーク値よりなるピーク検出周波数情報とを生成する表示データ処理回路と、表示部に表示された上記表示用スペクトラム情報に基づき入力される周波数選択信号を受け付け復調周波数を設定する周波数選択部と、この周波数選択部により設定された復調周波数により上記分配回路により分配された他方の通信波を復調する受信機とを備えたものである。
【発明の効果】
【０００７】
この発明によれば、通信波のＩＦ信号をフーリエ変換して得られるスペクトラム情報に基づいて表示データ処理回路により表示用スペクトラム情報とピーク検出周波数情報とを生成し、表示部での表示用スペクトラム情報に基づいて入力される周波数選択信号を周波数選択部により受け付けて復調周波数を設定し、受信機で通信波の復調を行うので、より高精度に未知信号を復調することができる。
【図面の簡単な説明】
【０００８】
【図１】この発明の実施の形態１に係る電波監視装置の構成を表す機能ブロック図である。
【図２】表示部での表示データの周波数分解能とスペクトラム処理回路が出力したスペクトラム情報の周波数分解能について説明する模式図である。
【図３】この発明の実施の形態２に係る電波監視装置の構成を表す機能ブロック図である。
【図４】この発明の実施の形態３に係る電波監視装置の構成を表す機能ブロック図である。
【発明を実施するための形態】
【０００９】
実施の形態１
【００１０】
この発明の実施の形態１に係る電波監視装置について図１及び図２を用いて説明する。図１はこの発明の実施の形態１に係る電波監視装置の構成を表す機能ブロック図である。図１において、１は広帯域の通信波を分配する分配回路、２は広帯域の通信波をＩＦ信号に変換するための広帯域周波数変換回路、３は広帯域周波数変換回路２に周波数を設定し、後述の表示データ処理回路にピーク判定閾値を設定するスペクトラム周波数設定部、４は広帯域なＩＦ信号をＡＤ変換するＡＤ変換回路、５は高速フーリエ変換（ＦＦＴ）を実施してスペクトラム情報を生成し出力するスペクトラム処理回路、６は表示周波数範囲と表示ドット数に適合した周波数分解能（表示分解能）の表示用スペクトラム情報を生成し出力するとともに、設定されたピーク判定閾値に基づいてピーク検出を行い、表示分解能におけるピーク検出周波数情報を出力する表示データ処理回路、７は表示用スペクトラム情報と周波数情報とを表示する表示部である。８は表示情報から復調周波数を選択及び設定する周波数選択部、９は設定周波通信波を復調・再生する受信機である。
【００１１】
次に電波監視装置の動作について説明する。分配回路１は同一アンテナからのＲＦ信号を広帯域周波数変換回路２と受信機９へ分配する。広帯域周波数変換回路２は、例えば、数十〜数百ＭＨｚに及ぶ広帯域の周波数範囲の既知又は未知の通信波の受信を想定したものであり、周波数設定回路３から設定された周波数のＲＦ信号をＩＦ信号に変換する。ＡＤ変換回路４は広帯域周波数変換回路２からのＩＦ信号をＩＱデータに変換する。スペクトラム処理回路５は、ＩＱデータにＦＦＴを実施し、スペクトラム波形をスペクトラム情報として生成し出力する。
【００１２】
スペクトラム処理回路５が出力したスペクトラム情報は、表示データ処理部６に入力され、表示データ処理部６にて表示用のデータに加工される。図２は表示部７での表示データの周波数分解能とスペクトラム処理回路５が出力したスペクトラム情報の周波数分解能について説明する模式図である。なお、表示部７は例えば一般に使用されるディスプレイ装置と表示回路とで構成されるものである。図２では、電波監視している周波数範囲をｘ（ＭＨｚ）〜ｘ＋ｙ×３０（ＭＨｚ）、表示部７での表示データの周波数軸のドット数を３０（ドット）、スペクトラム処理回路５におけるＦＦＴ処理の周波数分解能をｙ（ｋＨｚ）とした場合を例にしている。このとき、図２（ａ）に示す表示部７に表示される表示データは、横軸３０ドット、１ドットあたりｙ（ＭＨｚ）分の帯域幅の周波数分解能で表示されている。この表示にあたり表示データ処理回路６は、周波数分解能ｙ（ｋＨｚ）でＦＦＴ処理されたスペクトラム情報をもとに、各ドットに対応するｙ（ＭＨｚ）帯域内のスペクトラムの最大値を求め、表示用スペクトラム情報として出力する。即ち、表示データ処理部６は、ｙ（ｋＨｚ）の分解能のスペクトラム情報を、ｙ（ＭＨｚ）の分解能（表示分解能）の表示用スペクトラム情報に変換している。
【００１３】
また、表示データ処理回路６は、スペクトラム処理回路５が出力したスペクトラム情報中のピーク判定閾値以上のピーク値を検出し、当該ピーク値とその周波数の情報（これを「ピーク検出周波数情報」と呼ぶことにする。）を出力する。電波監視装置では、広帯域の周波数範囲を受信し、既知及び未知の電波を受信しており、受信する広帯域周波数範囲内に存するピーク判定閾値以上の複数電波が検出され、ピーク検出周波数情報として出力されることになる。ここで、ピーク検出周波数情報のデータ構成は、表示分解能であるｙ（ＭＨｚ）帯域ごと（図２（ａ）の各ドットごと）の情報に区分されていることが好ましく、また、各ｙ（ＭＨｚ）帯域ごとに、全てのピーク情報、最大ピーク、最小ピーク、あるいは、中心値に最も周波数が近接しているピーク周波数情報等の出力ピーク情報の選別がなされているものであるとよい。図２（ｂ）は１ドット分の表示データｙ（ＭＨｚ）帯域内のスペクトラム情報（分解能ｙ（ｋＨｚ））を表しており、図示のように複数のピークがこの帯域内に生じていることを模式的に示したものである。
【００１４】
次に、周波数選択部８は、例えば、一般に使用されるコンピュータであり、表示部７と接続されており、マウスやキーボード等の入出力デバイスを有しており、表示部７の表示情報（図２（ａ）の表示データ）に基づいて操作者が入力する周波数選択信号を受け付け、これを表示データ処理回路６へ通知する。表示データ処理回路６は、周波数選択信号が入力された時点でのその周波数帯域内のピーク周波数情報を周波数選択部８に通知し、周波数選択部８は、通知されたピーク周波数情報から復調する周波数を決定し（例えば最大ピークの周波数に決定されるなど、種々の決定条件を設定することにより周波数が決定される）、受信機９へ設定する。受信機９は設定された周波数にて、受信及び復調を行い、アナログ信号の場合は音声を出力し、デジタル信号の場合は復調符号を表示する。以上により、広帯域に出現する未知波をより効率的に、さらには高精度に復調することができ、未知波の電波監視を行うことができる。
【００１５】
実施の形態２
【００１６】
実施の形態１では、広帯域のスペクトラムの表示を想定し、周波数変換回路２が周波数を適当なポイントで切り替えてＩＦ信号をＡＤ変換装置に出力する構成であるが、周波数変換回路２の周波数を切り替える必要がない帯域の監視を行う場合には分配回路１を省略する構成としてもよい。図３は、この発明の実施の形態２に係る電波監視装置の構成を表す機能ブロック図であり、図３のとおり、分配回路１が不要となり、復調処理回路１０を追加する。図３において、図１と同一の符号を付した回路及び部分は、図１におけるそれらの回路及び部分と同一又は相当する回路及び部分である。
【００１７】
実施の形態１と同様に周波数選択部８にて復調する周波数が選択され、ＡＤ変換回路４に周波数情報を通知する。ＡＤ変換回路４は指定された周波数のＩＱデータを復調処理回路１０に分配し、復調処理回路１０にて復調・複号処理を実施する。これにより、実施の形態１で発生する、分配回路１の分配損及びＲＦ系の違いによるレベル差が解消され、受信機９への周波数設定処理遅延が改善される。
【００１８】
実施の形態３
【００１９】
実施の形態３は、表示部７のほかに拡大表示部を設けてより視覚的に電波監視が行えるように構成したものである。図４は、この発明の実施の形態３に係る電波監視装置の構成を表す機能ブロック図であり、図４のとおり、スペクトラム処理回路５の周波数分解能と表示分解能が同一となる拡大表示部１１を追加する。拡大表示部１１は例えば一般に使用されるディスプレイ装置と表示回路とで構成されるものである。図４において、図１と同一の符号を付した回路及び部分は、図１におけるそれらの回路及び部分と同一又は相当する回路及び部分である。
【００２０】
実施の形態１と同様に、周波数選択部８にて周波数選択信号を受け付けた後、これを拡大表示部１１へ出力する。スペクトラム処理回路５は、スペクトラム情報を拡大表示部１１へ出力しており、拡大表示部１１は、スペクトラム情報のうち、周波数選択部８から入力された周波数選択信号に基づき、選択された周波数帯域のスペクトラムを表示する。これにより、周波数選択部８で、より視覚的に周波数選択を実施することができる。
【符号の説明】
【００２１】
１  分配回路
２  広帯域周波数変換回路
３  スペクトラム周波数設定部
４  ＡＤ変換回路
５  スペクトラム処理回路
６  表示データ処理回路
７  表示部
８  周波数選択部
９  受信機
１０  復調処理回路
１１  拡大表示部
【図１】
2011203089.tif 000003
【図２】
2011203089.tif 000004
【図３】
2011203089.tif 000005
【図４】
2011203089.tif 000006